(57)【要約】【課題】犬が人の後ろに回り込んだ際にも、リードの持ち手を変えず、身体を回転しなくても、リードの紐を、身体の反対側に移動することが容易にでき、また杖としても使用できるペット用リードを提供する。【解決手段】従来の紐巻き取り式リード本体の下方に杖状の棒を延設し、棒の先端に滑り止めゴムを装着した。さらに紐をリード本体部から出すか、又は棒の先端部から外に出し、どちらの場合でも、紐をリード本体の取っ手近傍を経由して犬の首輪に繋ぐ状態と、紐を棒の先端部を経由して犬の首輪に繋ぐ状態を選べるように、リング又はフックをどちらかの位置に固定した。【選択図】図1
2010213670.tif 000002
【特許請求の範囲】
【請求項１】
取っ手と紐巻き取りリールと紐長さ調節ストッパーを備えたリード本体部の下方に、杖状の棒を延設し、前記棒の先端部にすべり止めの弾性体が装着してあることを特徴とするペット用リード。
【請求項２】
前記杖状の棒がリード本体部に着脱可能であることを特徴とする請求項１に記載したペット用リード。
【請求項３】
請求項１又は請求項２に記載したペット用リードにおいて、前記棒の先端近傍にリング又は外れ止め機構付きフックを装着し、該リング又はフックにリード本体部から外部に配策した紐を通して係止できる構造であることを特徴とするペット用リード。
【請求項４】
請求項１に記載したペット用リードにおいて、杖状の棒が中空の筒状であり、紐巻き取りリールから繰り出された紐が棒の内部を通って、該棒の先端近傍の穴から外部に出ていることを特徴とするペット用リード。
【請求項５】
請求項４に記載したペット用リードにおいて、リード本体部の取っ手の近傍にリング又は外れ止め機構付きフックを装着し、棒の先端近傍の穴から外部に出た紐を前記リング又はフックに通して係止できる構造であることを特徴とするペット用リード。
【発明の詳細な説明】
【技術分野】
【０００１】
本発明は主に犬の散歩用リード（引き紐）に関するものである。
【背景技術】
【０００２】
従来の犬の散歩用リードには、単に一定の長さのロープと、紐と紐巻き取り可能リール式リード（例えば特許文献１）があるが、どちらのタイプにおいても、散歩中に犬が後ろに回ってリードの持ち手とは逆方向に走った時に、後ろ手にリードの持ち手を変えるか、本人が回転しなければ、紐が身体に巻きついて大変危険である。
特に、傘をさしている場合には両手が塞がっているので、持ち手を変えることができず更に危険性が増す。
【０００３】
また高齢者が犬の散歩をしようとした時には、杖を使用した方が安全であるが、この場合両手がふさがるので、例えば傘をさすことができず不便である。
【先行技術文献】
【特許文献】
【０００４】
【特許文献１】特開平４−３６０６３４号公報
【発明の概要】
【発明が解決しようとする課題】
【０００５】
本発明は上記の課題に鑑み、その課題を解決すべく、発明されたものであって、その目的とするところは、リードの持ち手を変えず、身体を回転しなくても、リードの紐を、身体の反対側に移動することが容易にでき、また杖としても使用できるペット用リードを提供することにある。
【課題を解決するための手段】
【０００６】
本発明によるペット散歩用リードは、取っ手と紐巻き取りリールと紐長さ調節ストッパーを備えたリード本体部の下方に、杖状の棒を延設し、前記棒の先端部にすべり止めの弾性体を装着したものである。
【０００７】
前記杖状の棒をリード本体部に着脱可能にしたものである。
【０００８】
前記棒の先端近傍にリング又は外れ止め機構付きフックを装着し、これにリード本体部から外部に配策した紐を通して係止できる構造にした。
【０００９】
他の実施例として、前記棒を中空の筒状とし、紐巻き取りリールから繰り出された紐が棒の内部を通って、棒の先端近傍の穴から外部に出ている構造にした。
さらに、リード本体部の取っ手の近傍にリング又は外れ止め機構付きフックを装着し、棒の先端近傍の穴から外部に配策した紐を通して係止できる構造にした。
【発明の効果】
【００１０】
本発明によるペット用リードにおいて、棒の先端部から紐を延ばして犬に繋げば、犬が散歩中に後ろに回り込み、リードの持ち手とは逆に走った場合に、リードの持ち手を変えなくても、また身体を回転しなくても、本発明によるペット用リードを杖のように突く事により、紐の位置が低くなるので、紐を跨ぐことにより簡単に紐を身体の反対に移動する事ができる。
【００１１】
また、紐をリード本体部から直接出すか、又はリード本体部に固定した紐通しリングに紐を通してから犬の首輪に繋ぐことにより、紐の支点が高くなるので杖としても使える効果がある。
【００１２】
棒の先端から紐が延びている状態において、棒の先端と犬の間の紐の長さを短くすることにより、リードが一本の棒状になり犬をコントロールすることが容易になる。例えば人とすれ違う時や、傍らを通り過ぎる自動車から犬を遠ざけたい時に便利である。
【００１３】
紐をリード本体部から外部に出し、杖状の棒の下部に紐を通すためのリング又はフックを設ける構造（実施例１）では、棒を着脱自在にすることもできるので、場合によっては、従来の単なる巻き取り式リールとしても使用できる。
【図面の簡単な説明】
【００１４】
【図１】本発明によるペット用リードの実施例１の外観図である
【図２】本発明によるペット用リードの実施例２の外観図である
【図３】実施例１のペット用リードを杖として使っている状態を表す図である
【図４】実施例２のペット用リードの紐を上のリングに通して杖として使っている状態を表す図である
【図５】実施例２のペット用リードを使って通常の散歩をしている状態を表す図である
【図６】実施例１のペット用リードの紐を下のリングに通して、杖のように突いている状態を表す図である
【図７】実施例２のペット用リードを使用中に犬が後ろに行った際に、紐を跨いで紐の巻き付きを防いでいる状態を表す図である
【図８】実施例２のペット用リードを用いて、紐の長さを短くして、犬をコントロールしている状態を表す図である
【発明を実施するための形態】
【００１５】
本発明を実施するための形態を、実施例１、２にもとずき図面を参照して説明する。
【実施例１】
【００１６】
図1は、本発明における実施例１のペット用リードの外観図である。
リード本体部２の内部構造は図示しないが、例えば特許文献１に記載されているように紐の巻き取りリールと紐の長さを調節できるストッパー機構が内蔵されており、ストッパーの解除ボタン４が備えられている。
リード本体部の下部に、杖状の棒６が結合部分７にて着脱可能に取り付けられており、棒６の先端部には滑り止めゴム１０が装着されている。
さらに杖状の棒６の先端近傍に、紐を通して係止するためのリング又は外れ止め機構付きフック（いわゆるナスカン）１２が保持されている。
尚、リング又はフック１２の棒６への装着方法は、棒の軸方向には動かず、棒の周りを回転できる構造が、紐が棒に巻き付きにくいので好ましい。
【実施例２】
【００１７】
図２は、本発明における実施例２のペット用リードの外観図である。
杖状の棒６を中空の筒状にし、紐巻き取りリール（図示しない）から繰り出された紐を、筒状の棒６の内部を通し、棒の先端部に開けた穴１１から外に出す。
取っ手３に近いリード本体部に、リング又は外れ止め機構付きフック（いわゆるナスカン）９を装着し、棒の先端から出た紐を通して、係止できるようになっている。
【００１８】
以下、使用方法については、実施例１、実施例２とも、リング又はフック９、１２にそれぞれ紐を通すか通さないかを選択することにより同様の使用形態になる。
図３は、本発明による実施例１のペット用リードを杖として使っている状態を示している。紐を取っ手３から近い穴８から出すことにより、犬が引く力は通常のリードと変わらずに使用者２０の持ち手に作用する。同時に、リード本体部の下に杖が装着されているので、杖を突くことにより歩行を助けることができる。
【００１９】
図４は、実施例２のペット用リードの紐を上のリングに通して杖として使っている状態を表す図である。
【００２０】
図５は、実施例２のペット用リードを使って通常の散歩をしている状態を表す図である。
【００２１】
図６は、実施例１のペット用リードの紐を下のリングに通して、杖のように突いている状態を表す図である。
【００２２】
図７は、実施例２のペット用リードを使用中に犬が後ろに行った際に、紐を跨いで紐の巻き付きを防いでいる状態を表す図である。
【００２３】
図８は、実施例２のペット用リードを用いて、紐の長さを短くして、犬をコントロールしている状態を表す図である。
【符号の説明】
【００２４】
１ａ    本発明の実施例１によるペット用リード
１ｂ    本発明の実施例２によるペット用リード
２      リード本体部
３      取っ手
４      紐長さ調節ストッパーの解除ボタン
５      紐
５ａ    紐の先端に取り付けた外れ止め機構付きフック
６      杖状の棒
７      リード本体と杖状の棒の結合部分
８      リード本体部から紐を出す穴
９      リード本体部に設けたリング又は外れ止め機構付きフック
１０    滑り止めゴム
１１    杖状の棒の先端近傍に開けた紐を出すための穴
１２    杖状の棒の先端近傍に設けたリング又は外れ止め機構付きフック
２０    使用者
２１    犬
２２    首輪
【図１】
2010213670.tif 000003
【図２】
2010213670.tif 000004
【図３】
2010213670.tif 000005
【図４】
2010213670.tif 000006
【図５】
2010213670.tif 000007
【図６】
2010213670.tif 000008
【図７】
2010213670.tif 000009
【図８】
2010213670.tif 000010